(57)【要約】【課題】歯形模型がぶれにくく、丈夫な歯科技工用作業模型及びその製造方法を提供すること。【解決手段】歯科技工用作業模型１は、固定して立脚している複数のピン４を含む基台３と、ピン４を挿入するための複数の孔５を有する歯形模型２とを備える。たとえば、歯形模型２は、分割可能な分割歯模型２ｃを少なくとも一つ含む。基台３は、分割歯模型２ｃに対応する位置に、少なくとも二本のピン４を固定して立脚させている。分割歯模型２ｃは、少なくとも二本のピン４を挿入するための少なくとも二つの孔５を有する。【選択図】図１０
2011045440.tif 000002
【特許請求の範囲】
【請求項１】
固定して立脚している複数のピンを含む基台と、
前記ピンを挿入するための複数の孔を有する歯形模型とを備える、歯科技工用作業模型。
【請求項２】
前記歯形模型は、分割可能な分割歯模型を少なくとも一つ含み、
前記基台は、前記分割歯模型に対応する位置に、少なくとも二本のピンを固定して立脚させており、
前記分割歯模型は、前記少なくとも二本のピンを挿入するための少なくとも二つの孔を有することを特徴とする、請求項１に記載の歯科技工用作業模型。
【請求項３】
歯形模型を作製する第１の工程と、
前記歯形模型の下面から複数の孔を穿孔する第２の工程と、
前記複数の孔に、複数のピンを抜き差し可能に差し込む第３の工程と、
基台用型に、所定の条件で硬化する硬化材料を充填する第４の工程と、
前記硬化材料が硬化する前に、前記複数のピンが差し込まれた前記歯形模型の内、少なくとも前記複数のピンの部分を、前記硬化材料に押し入れる第５の工程と、
前記硬化材料が硬化して、前記ピンが前記硬化材料に固着した後、前記歯形模型を前記硬化材料が硬化してできた基台から抜き取る第６の工程とを備えることと特徴とする、歯科技工用作業模型の製造方法。
【請求項４】
前記第２の工程では、後で分割する分割歯模型に対応する箇所に、少なくとも二つの孔を穿孔し、
前記第３の工程では、前記分割歯模型に対応する箇所に、少なくとも二本のピンを差し込み、
さらに、前記第６の工程で抜き取った前記歯形模型を前記分割歯模型に分割する第７の工程を備えることを特徴とする、請求項３に記載の歯科技工用作業模型の製造方法。
【請求項５】
固定して立脚している少なくとも一つのサイドピンを含む基台と、
前記サイドピンに沿った形状の少なくとも一つの凹部を有する分割歯模型を含む歯形模型とを備える、歯科技工用作業模型。
【請求項６】
前記基台は、前記分割歯模型の下面に対応する箇所から固定して立脚している少なくとも一つのインナーピンをさらに含み、
前記分割歯模型は、前記インナーピンを挿入するための少なくとも一つの孔を有することを特徴とする、請求項５に記載の歯科技工用作業模型。
【請求項７】
前記基台は、前記分割歯模型の両脇に対応する位置に、少なくとも二本のサイドピンを固定して立脚させており、
前記分割歯模型は、前記少なくとも二本のサイドピンに沿った形状の二つの凹部を有することを特徴とする、請求項５又は６に記載の歯科技工用作業模型。
【請求項８】
歯形模型を作製する第１の工程と、
前記歯形模型の下面から、分割歯模型に分割する境界部分に、少なくとも一つの孔を穿孔する第２の工程と、
前記孔に、サイドピンを抜き差し可能に差し込む第３の工程と、
基台用型に、所定の条件で硬化する硬化材料を充填する第４の工程と、
前記硬化材料が硬化する前に、前記サイドピンが差し込まれた前記歯形模型の内、少なくとも前記サイドピンの部分を、前記硬化材料に押し入れる第５の工程と、
前記硬化材料が硬化して、前記サイドピンが前記硬化材料に固着した後、前記歯形模型を前記硬化材料が硬化してできた基台から抜き取る第６の工程と、
前記歯形模型を前記境界部分で切断して分割する第７の工程とを備えることと特徴とする、歯科技工用作業模型の製造方法。
【請求項９】
前記第２の工程では、前記第７の工程で分割される分割歯模型の下面に対応する箇所に、インナーピン用の少なくとも一つの孔を穿孔し、
前記第３の工程では、前記インナーピンも抜き差し可能に差し込み、
前記第５の工程では、前記インナーピンの部分も、前記硬化材料に押し入れ、
前記第６の工程では、前記インナーピンも前記硬化材料に固着した後に、前記歯形模型を前記硬化材料が硬化してできた基台から抜き取ることを特徴とする、請求項８に記載の歯科技工用作業模型の製造方法。
【請求項１０】
前記第２の工程では、後で分割する分割歯模型の両脇に対応する箇所に、少なくとも二つの孔を穿孔し、
前記第３の工程では、前記分割歯模型の両脇に対応する箇所に、少なくとも二本のサイドピンを差し込むことを特徴とする、請求項８又は９に記載の歯科技工用作業模型の製造方法。
【発明の詳細な説明】
【技術分野】
【０００１】
本発明は、歯科補綴物等を作製する場合に用いる作業模型に関する。
【背景技術】
【０００２】
従来、歯科補綴物を作製する場合、患者の口腔からとった歯形陰型に基づいて石膏で印象模型（以下、歯形模型）を形成し、この印象模型の下面を平坦に削って孔を穿孔し、当該孔にダウエルピンを挿入して、ダウエルピンと歯形模型とを接着剤で固着し、歯形模型の下面及びダウエルピンに離型剤（例えば、界面活性剤）を塗布して、予め石膏ペーストを充填した基台用シリコーンゴム型に押し込み、石膏ペーストが硬化した後、脱型して作業模型を作製している。このような作業模型では、歯形模型側にダウエルピンが固定されていることになる（例えば、特許文献１及び２参照）。
【先行技術文献】
【特許文献】
【０００３】
【特許文献１】特開平６−２２９８８号公報
【特許文献２】特許第４１１２７３２号公報
【発明の概要】
【発明が解決しようとする課題】
【０００４】
図１４は、従来の作業模型の課題を説明するための断面図である。特許文献１及び２に示すような作業模型９０では、基台９１に孔９２が穿孔され、歯形模型９３に固定されたダウエルピン９４が孔９２に差し込まれる。製造精度の問題等により、孔９２とダウエルピン９４との間には、僅かではあるが、隙間が生じる。図１４の矢印Ａで示したようなダウエルピン９４の先端部分での僅かなぶれは、矢印Ｂで示したような歯形模型９３の上部での大きなぶれとなる。
【０００５】
また、ダウエルピン９４は歯形模型９３に接着剤で固着されているので、接着剤が剥離して、ダウエルピン９４と歯形模型９３とが分離するという可能性もある。特に、歯科技工の作業中、ダウエルピン９４と歯形模型９３との接合部分に力が加わりやすので、ダウエルピン９４と歯形模型９３とが分離するという問題は生じやすくなる。
【０００６】
それゆえ、本発明の目的は、歯形模型がぶれにくい歯科技工用作業模型及びその製造方法を提供することである。また、本発明の目的は、丈夫な歯科技工用作業模型及びその製造方法を提供することである。
【課題を解決するための手段】
【０００７】
上記課題を解決するために、本発明は、以下のような特徴を有する。本発明は、固定して立脚している複数のピンを含む基台と、ピンを挿入するための複数の孔を有する歯形模型とを備える歯科技工用作業模型である。好ましくは、歯形模型は、分割可能な分割歯模型を少なくとも一つ含む。また、基台は、分割歯模型に対応する位置に、少なくとも二本のピンを固定して立脚させている。分割歯模型は、少なくとも二本のピンを挿入するための少なくとも二つの孔を有すると良い。
【０００８】
また、本発明は、歯科技工用作業模型の製造方法であって、歯形模型を作製する第１の工程と、歯形模型の下面から複数の孔を穿孔する第２の工程と、複数の孔に、複数のピンを抜き差し可能に差し込む第３の工程と、基台用型に、所定の条件で硬化する硬化材料を充填する第４の工程と、硬化材料が硬化する前に、複数のピンが差し込まれた歯形模型の内、少なくとも複数のピンの部分を、硬化材料に押し入れる第５の工程と、硬化材料が硬化して、ピンが硬化材料に固着した後、歯形模型を硬化材料が硬化してできた基台から抜き取る第６の工程とを備える。好ましくは、第２の工程では、後で分割する分割歯模型に対応する箇所に、少なくとも二つの孔を穿孔する。第３の工程では、分割歯模型に対応する箇所に、少なくとも二本のピンを差し込む。さらに、第６の工程で抜き取った歯形模型を分割歯模型に分割する第７の工程を備えると良い。
【０００９】
また、本発明は、固定して立脚している少なくとも一つのサイドピンを含む基台と、サイドピンに沿った形状の少なくとも一つの凹部を有する分割歯模型を含む歯形模型とを備える歯科技工用作業模型である。好ましくは、基台は、分割歯模型の下面に対応する箇所から固定して立脚している少なくとも一つのインナーピンをさらに含み、分割歯模型は、インナーピンを挿入するための少なくとも一つの孔を有すると良い。好ましくは、基台は、分割歯模型の両脇に対応する位置に、少なくとも二本のサイドピンを固定して立脚させており、分割歯模型は、少なくとも二本のサイドピンに沿った形状の二つの凹部を有すると良い。
【００１０】
また、本発明は、歯科技工用作業模型の製造方法であって、歯形模型を作製する第１の工程と、歯形模型の下面から、分割歯模型に分割する境界部分に、少なくとも一つの孔を穿孔する第２の工程と、孔に、サイドピンを抜き差し可能に差し込む第３の工程と、基台用型に、所定の条件で硬化する硬化材料を充填する第４の工程と、硬化材料が硬化する前に、サイドピンが差し込まれた歯形模型の内、少なくともサイドピンの部分を、硬化材料に押し入れる第５の工程と、硬化材料が硬化して、サイドピンが硬化材料に固着した後、歯形模型を硬化材料が硬化してできた基台から抜き取る第６の工程と、歯形模型を境界部分で切断して分割する第７の工程とを備えると良い。好ましくは、第２の工程では、第７の工程で分割される分割歯模型の下面に対応する箇所に、インナーピン用の少なくとも一つの孔を穿孔し、第３の工程では、インナーピンも抜き差し可能に差し込み、第５の工程では、インナーピンの部分も、硬化材料に押し入れ、第６の工程では、インナーピンも硬化材料に固着した後に、歯形模型を硬化材料が硬化してできた基台から抜き取ると良い。好ましくは、第２の工程では、後で分割する分割歯模型の両脇に対応する箇所に、少なくとも二つの孔を穿孔し、第３の工程では、分割歯模型の両脇に対応する箇所に、少なくとも二本のサイドピンを差し込むと良い。
【発明の効果】
【００１１】
本発明では、歯形模型側に孔が穿孔されている。したがって、孔とピンとの間にもし間隙が生じたとしても、従来に比べ、歯形模型のぶれは僅かなままに抑えられる。よって、歯形模型がぶれにくい歯科技工用作業模型が提供されることとなる。さらに、ピンは、基台に固着されており、従来のように、接着剤でピンが歯形模型に固定されているわけではないので、従来に比べ丈夫な歯科技工用作業模型が提供されることなる。分割歯模型に対しては、二つの孔を穿孔して、基台に設けられた二本のピンで分割歯模型を固定することができるので、分割歯模型のぶれを抑えることが可能となる。
【００１２】
また、基台から固着して立脚するサイドピンを用いることによっても、分割歯模型のぶれを防止することができる。特に、サイドピンとインナーピンとを併存して用いれば、分割歯模型のぶれは、かなり少なくなると期待できる。
【００１３】
本発明のこれらおよび他の目的、特徴、局面、効果は、添付図面と照合して、以下の詳細な説明から一層明らかになるであろう。
【図面の簡単な説明】
【００１４】
【図１】図１は、歯形模型２の斜視図である。
【図２】図２は、歯形模型２を下面から見たときの斜視図である。
【図３】図３は、本実施形態で用いられるピン４の斜視図である。
【図４】図４は、歯形模型２にピン４が差し込まれる様子を示す図である。
【図５】図５は、全ての孔５にピン４が差し込まれたときの様子を示す図である。
【図６】図６は、基台用型３ａに硬化材料３ｂが充填される様子を示す図である。
【図７】図７は、硬化材料３ｂに歯形模型２が押し入れられる様子を示す図である。
【図８】図８は、硬化材料３ｂが硬化した後に、歯形模型２が抜き取られたときの基台３を示す斜視図である。
【図９】図９は、分割歯模型２ｃを基台３に差し込んだ歯科技工用作業模型１の斜視図である。
【図１０】図１０は、分割歯模型２ｃの一つを抜いたときの歯科技工用作業模型１の斜視図である。
【図１１】図１１は、図９におけるＡ−Ａ面の断面図である。
【図１２】図１２は、サイドピン４ｂ用の孔５ａを穿孔した歯形模型２を示す図である。
【図１３】図１３は、分割歯模型２ｃと基台３との関係を示す図である。
【図１４】図１４は、従来の作業模型の課題を説明するための断面図である。
【発明を実施するための形態】
【００１５】
図１〜図１０を参照しながら、本発明の一実施形態に係る歯科技工用作業模型１の製造方法について説明する。歯科技工用作業模型１は、歯形模型２と、基台３とを備える。基台３は、複数のピン４を含む。歯形模型２は、複数の孔５を含む。
【００１６】
図１は、歯形模型２の斜視図である。歯形模型２は、周知の方法によって作製されている。たとえば、歯形模型２は、患者の口腔からとった歯形陰型に、石膏ペーストを流し込んで作製される。下面が平坦になるように、歯形模型２には、歯形部分２ａの下に石膏２ｂが足されて、足された石膏２ｂの下面及び側面が研磨される。
【００１７】
図２は、歯形模型２を下面から見たときの斜視図である。図３は、本実施形態で用いられるピン４の斜視図である。平坦に研磨された歯形模型２の下面から、ピン４の先端部分を挿入するための複数の孔５が穿孔される。孔５の内径はピン４の外径と略同一である。孔５の位置は、分割した歯模型の位置を考慮して、決定される。分割したい歯模型に対応する位置には、少なくとも二つの孔５が並んで穿孔される。ピン４は、基台３側に凹凸部４ａを含む。凹凸部４ａによって、ピン４が基台３から抜けるのがより強固に防止される。なお、凹凸部４ａは無くても良い。
【００１８】
図４は、歯形模型２にピン４が差し込まれる様子を示す図である。図５は、全ての孔５にピン４が差し込まれたときの様子を示す図である。図４及び図５に示すように、ピン４は、歯形模型２に抜き差し可能に差し込まれる。すなわち、ピン４は、歯形模型２には固着されていない。
【００１９】
図６は、基台用型３ａに硬化材料３ｂが充填される様子を示す図である。硬化材料３ｂは、温度や光などの所定の条件で硬化する材料であれば良く、たとえば、石膏などである。図７は、硬化材料３ｂに歯形模型２が押し入れられる様子を示す図である。歯形模型２の下面に離型剤（例えば、界面活性剤）が塗布され、硬化材料３ｂが硬化する前に、少なくともピン４の部分が、硬化材料３ｂに押し入れられる。
【００２０】
図８は、硬化材料３ｂが硬化した後に、歯形模型２が抜き取られたときの基台３を示す斜視図である。図８に示すように、基台３には、複数のピン４が固着されて立脚している。これにより、歯形模型２を基台３に差し込むことによって、歯科技工用作業模型１が提供されることになる。
【００２１】
基台３の完成後、歯形模型２は、必要に応じて分割される。分割された歯形模型を分割歯模型２ｃという。なお、分割歯模型２ｃといった場合、一つの歯模型だけでなく、複数の歯模型を含む場合もある。図９は、分割歯模型２ｃを基台３に差し込んだ歯科技工用作業模型１の斜視図である。図１０は、分割歯模型２ｃの一つを抜いたときの歯科技工用作業模型１の斜視図である。図１０に示すように、分割歯模型２ｃを用いる場合は、分割歯模型２ｃの移動を防止するために、少なくとも二本のピン４が分割歯模型２ｃに挿入されるように、孔５が穿孔されて、ピン４が基台３に固着される。
【００２２】
図１１は、図９におけるＡ−Ａ面の断面図である。本実施形態では、歯形模型２側に孔５が穿孔されている。したがって、孔５とピン４との間にもし間隙が生じたとしても、従来の図１４の場合に比べ、図１１の矢印Ｃで示すように、歯形模型２のぶれは僅かなままに抑えられる。よって、歯形模型２がぶれにくい歯科技工用作業模型１が提供されることとなる。さらに、ピン４は、基台３に固着されており、従来のように、接着剤でピンが歯形模型に固定されているわけではないので、従来に比べ丈夫な歯科技工用作業模型１が提供されることなる。さらに、ピン４は、凹凸部４ａを有するので、ピン４が基台３から抜けるのがさらに強固に防止される。
【００２３】
なお、上記実施形態において、ピン４の断面は円形であったが、ピン４の断面は、楕円形でも良いし、多角形でも良いし、弓状であっても良い。ピン４の断面を円形以外の形状に変形することによって、歯形模型２の回転を防止することが可能となる。歯形模型２の回転を防止するために、ピン４の断面形状を円形以外の形状にすれば、分割歯模型２ｃを用いる場合であっても、二本のピン４を用いずに、一本のピン４だけを用いることができる。
【００２４】
なお、ピン４の部分だけでなく、歯形模型２の底部の一部までが硬化材料３ｂに押し入れられても良い。これにより、基台３は、歯形模型２の底部の一部に対応する凹部を有することになる。これにより、歯形模型２のぶれがさらに防止できる。
【００２５】
なお、上記実施形態では、歯形模型２は全歯の模型であったが、一部の歯の模型が歯形模型２として利用され、当該一部の歯の歯形模型に対応する基台３が作製されても良い。
【００２６】
（変形例）
なお、基台３から固定して立脚されるピンは、分割歯模型２ｃに挿入されるものに限られない。以下、基台３から固定して立脚されるサイドピン４ｂについて説明する。なお、上記までに説明したピン４は、分割歯模型２ｃに挿入されるピンであるとして、インナーピン４と言うことにし、サイドピン４ｂとは区別することとする。ただし、サイドピン４ｂとインナーピン４とは、異なる形状であっても良いし、同一の形状であっても良い。
【００２７】
図１２は、サイドピン４ｂ用の孔５ａを穿孔した歯形模型２を示す図である。図１２に示すように、後で分割歯模型２ｃに分割される境界部分５ｂに線を引き、境界部分５ｂにサイドピン４ｂ用の孔５ａを穿孔する。そして、孔５ａに、サイドピン４ｂを抜き差し可能に差し込む。その後は、インナーピン４だけを用いた場合と同様にして、サイドピン４ｂ及びインナーピン４を基台３に固着させ、歯形模型２を基台３から外す。その後、境界部分５ｂで切断して分割歯模型２ｃに分割する。これにより、分割歯模型２ｃには、サイドピン４ｂの形状に沿った凹部４ｃが形成されることとなる（図１３）。その他の製造方法は、インナーピン４だけを用いる場合と同様である。
【００２８】
図１３は、分割歯模型２ｃと基台３との関係を示す図である。図１３に示すように、サイドピン４ｂが基台３から立脚することとなる。さらに、サイドピン４ｂの形状に沿った凹部４ｃが分割歯模型２ｃに当接して、分割歯模型２ｃが基台３に取り付けられることとなる。これにより、サイドピン４ｂによって、分割歯模型２ｃの移動（たとえば、左右動や左右回転）がさらに抑制されることとなり、歯形模型のぶれを効果的に防止できる。
【００２９】
なお、サイドピン４ｂとインナーピン４とを一緒に用いることとしたが、サイドピン４ｂだけが用いられても良いし、サイドピン４ｂと従来のような分割歯模型に固定されているダウエルピンとが一緒に用いられても良い。
【００３０】
サイドピン４ｂは、少なくとも一つが基台３から固定して立脚していれば、分割歯模型２ｃのぶれをある程度防止できる。したがって、分割歯模型２ｃに形成される凹部４ｃは少なくとも一つで良い。なお、凹部４ｃの形状、サイドピン４ｂの形状は、断面円弧状でなくても良い。すなわち、サイドピン４ｂを角柱形状にして、凹部４ｃの形状を角張った形状にしても良い。サイドピン４ｂとインナーピン４とが一緒に用いられる場合、サイドピン４ｂによってぶれがある程度防止されるので、インナーピン４は、少なくとも一つで良い。すなわち、分割歯模型２ｃに形成される孔５も、少なくとも一つで良い。ただし、分割歯模型２ｃのぶれを効果的に防止するためには、図１３に示したように、分割歯模型２ｃの両脇に少なくとも二本のサイドピン４ｂが基台３に固着されており、少なくとも二本のサイドピン４ｂに沿った形状の二つの凹部４ｃが分割歯模型２ｃに形成されている良い。よって、製造段階で、分割歯模型２ｃの下面に対応する箇所にインナーピン４用の少なくとも二つの孔５を穿孔すると共に、分割歯模型の両脇に対応する箇所にサイドピン４ｂ用の少なくとも二つの孔５ａを穿孔し、孔５及び５ａに、それぞれインナーピン４及びサイドピン４ｂを抜き差し可能に差し込んで、基台３にインナーピン４及びサイドピン４ｂを固着させれば良い。
【００３１】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００３２】
本発明は、歯形模型がぶれにくい歯科技工用作業模型及びその製造方法に関し、産業上利用可能である。
【符号の説明】
【００３３】
１  歯科技工用作業模型
２  歯形模型
２ａ  歯形部分
２ｂ  石膏
２ｃ  分割歯模型
３  基台
３ａ  基台用型
３ｂ  硬化材料
４  ピン
４ａ  凹凸部
４ｂ  サイドピン
４ｃ  凹部
５，５ａ  孔
５ｂ  境界部分
【図１】
2011045440.tif 000003
【図２】
2011045440.tif 000004
【図３】
2011045440.tif 000005
【図４】
2011045440.tif 000006
【図５】
2011045440.tif 000007
【図６】
2011045440.tif 000008
【図７】
2011045440.tif 000009
【図８】
2011045440.tif 000010
【図９】
2011045440.tif 000011
【図１０】
2011045440.tif 000012
【図１１】
2011045440.tif 000013
【図１２】
2011045440.tif 000014
【図１３】
2011045440.tif 000015
【図１４】
2011045440.tif 000016